(57)【要約】【課題】水路の表面に形成した樹脂層の一部が仮に剥がれても、周囲まで次々に剥がれないような工法を提案すること。【解決手段】本発明の水路の保護方法は、水路の表面に樹脂層を形成することによって、前記水路を保護する水路の保護方法において、樹脂を吹き付け塗布することによって水路の表面を覆う樹脂層を形成し、前記樹脂層にスリット状の切れ目を設けることを特徴としている。【選択図】図６
2010013929.tif 000002
【特許請求の範囲】
【請求項１】
水路の表面に樹脂層を形成することによって、前記水路を保護する水路の保護方法において、樹脂を吹き付け塗布することによって水路の表面を覆う樹脂層を形成し、前記樹脂層にスリット状の切れ目を設けることを特徴とする水路の保護方法。
【請求項２】
樹脂層に設けた前記スリット状の切れ目によって周囲が囲まれた複数の閉領域を形成することを特徴とする請求項１に記載の水路の保護方法。
【請求項３】
前記樹脂層は、前記水路の表面に溝を設け、その後、樹脂を吹き付け塗布することによって、樹脂を前記溝の内部まで充填するとともに、水路の表面を覆うように形成することを特徴とする請求項１また２の何れか１項に記載の水路の保護方法。
【発明の詳細な説明】
【技術分野】
【０００１】
本発明は、土砂等を含んだ水流による水路の磨耗や損傷を防ぐとともに、水流に対する抵抗を小さくするために、水路の表面（水流と接する可能性のある水路の内面等）に、樹脂層を形成する技術に関するものである。
【背景技術】
【０００２】
従来より、一般の水路は、水流に含まれる混入物によって磨耗するという問題があった。そこで、水路の表面にウレタン樹脂（ポリウレア樹脂）を塗布・吹きつけすることがあった。こうすることにより、水流に対する抵抗を小さくすることもできる。このようなウレタン樹脂の吹きつけ作業は、まず、水路の吹きつけ面を清掃し、プライマーを塗布した後に行われる。
【発明の概要】
【発明が解決しようとする課題】
【０００３】
ところが、上述したような従来の樹脂を吹きつける工法では、水流に混入した土砂等の衝撃によって、樹脂層の一部が磨耗したり損傷したりすると、その部分が剥がれてしまう。このようにして、樹脂層の一部が剥がれるとそこから水流が樹脂層と水路の表面の間に侵入して、周囲まで次々に剥がれてしまうという問題があった。
【０００４】
以上の問題に鑑みて、本発明は、仮に樹脂層の一部が剥がれても、周囲まで次々に剥がれないような工法を提案することを目的としてなされたものである。
【課題を解決するための手段】
【０００５】
請求項１に係る発明は、
水路の表面に樹脂層を形成することによって、前記水路を保護する水路の保護方法において、樹脂を吹き付け塗布することによって水路の表面を覆う樹脂層を形成し、前記樹脂層にスリット状の切れ目を設けることを特徴としている。
請求項２では、
樹脂層に設けた前記スリット状の切れ目によって周囲が囲まれた複数の閉領域を形成することを特徴としている。
請求項３では、
前記樹脂層は、前記水路の表面に溝を設け、その後、樹脂を吹き付け塗布することによって、樹脂を前記溝の内部まで充填するとともに、水路の表面を覆うように形成することを特徴としている。
【発明の効果】
【０００６】
本発明の請求項１では、樹脂層にスリット状の切れ目を設けたので、前記スリット状の切れ目の上流側の樹脂層が剥離してもスリット状の切れ目の部分で樹脂層が破断して、スリット状の切れ目の下流側まで剥離することは抑制できる。
このようにして、スリット状の切れ目の上流側で発生した剥離は下流側へは伝わらないようにしたので、剥離部分を最小限に抑えることができる。
従って、樹脂層による保護効果が長期間にわたって維持される。
そして、請求項２では、樹脂層に設けたスリット状の切れ目によって、周囲が囲まれた複数の閉領域が形成されているので、前記閉領域の内部で発生した剥離はその閉領域の外へは伝わらない。また、前記閉領域の外部で発生した剥離はその閉領域の内部へは伝わらないようにしたので、樹脂層による保護効果が長期間にわたって維持される。
請求項３では、請求項１、２のようにスリット状の切れ目によって、スリット状の切れ目の上流側で剥離が発生しても、その剥離は下流側へは伝わらないという効果に加えて、樹脂層が水路の表面に設けられた溝の内部まで充填されているので、樹脂層と水路の表面との密着力が強くなって、剥離そのものが発生し難くなっている。
【図面の簡単な説明】
【０００７】
【図１】溝を設けた水路の部分的な斜視図である。
【図２】図１の一部を拡大した断面図である。
【図３】剥離強度測定の方法を説明する図である。
【図４】剥離強度測定における剥離荷重と剥離長さとの関係を示すグラフである。
【図５】溝の種々の平面形状を示した図である。
【図６】本発明に係る水路の保護方法を適用した水路の部分的な断面図である。
【発明を実施するための形態】
【０００８】
以下に、本発明の方法を、その方法を適用した水路の図面に基づいて詳細に説明する。
先ずはじめに、図１〜図５を参照して、本発明の請求項１に記載の技術的範囲外ではあるが、水路の表面に溝を設けた水路の保護方法に関する説明を行う。
【０００９】
図１は、水路の部分的な斜視図である。
この図１において、水路１はダムの放流用の水路であり、コンクリートで構築されている。この水路１の表面にはウレア系樹脂Ｕが吹きつけられて保護のための樹脂層２が形成されている。ウレア系樹脂の吹きつけにあたっては、溝３を水路の表面に形成する。溝３の形成にあたっては、切削してもよいが、型枠に凸条を形成しておいてもよい。そして、吹きつけ面となる下地４を清掃する。その後、下地４と樹脂層２との付着力を確保するためにプライマー５を塗布する。その上に、ウレア系樹脂Ｕを吹きつけて３mm〜10mm程度の樹脂層２を形成する。
【００１０】
なお、ウレア系樹脂の吹きつけにあたっては、小型のノズルを使用し、霧状になったウレア系樹脂をプライマー処理された水路の表面に吹きつけ塗布することによって、樹脂層を形成するものである。ウレア系樹脂としては、ウレアウレタン樹脂とポリウレアウレタン樹脂が使用できる。これらのウレア系樹脂では、吹きつけ後数十秒から数分で硬化して十分な強度が得られるので養生時間がほとんど必要でなく、吹きつけ後短時間で供用可能になる。
【００１１】
なお、ウレア系樹脂とは、アミンを持つ化合物とイソシアネート類との反応により生成するウレア結合を有するポリマーのことであり、反応速度が非常に早く数十秒から数分で硬化する。また、経時的な性能低下が少なく、長期間にわたって安定した保護性能が維持される。また、耐薬品性も高い。更に、クラックや下地の変位等に十分に追従できる弾性も備えている。ウレア系樹脂層の試験結果は、引っ張り強度10〜20ＭＰａ（試験方法JIS K 6301）、伸び率300〜500％（試験方法JIS K 6301）、引裂強度490〜970Ｎ／cm（試験方法JIS K 6301）、硬度80〜97（JIS A)（試験方法JIS K 6301）
【００１２】
図２は、水路の表面に設けた溝を説明するために、水路の一部を水流の方向で切断した断面を示した断面図である。
図２に示したように、前記水路１の表面には水流に直交する方向に形成された溝３が適宜間隔で形成されている。この溝３の断面形状は矩形であり、ウレア系樹脂層の厚みが３mmのとき、溝の幅Ｗは10mm前後で、溝の深さＤはウレア系樹脂層の厚みの２倍以上とすることが好ましい。このことは、以下の表１に示した剥離強度測定結果からも明らかである。
【００１３】
【表１】
2010013929.tif 000003
【００１４】
なお、表１の剥離強度測定は、JIS K 6854に規定された浮動ローラー法剥離試験に準拠した図３の（Ａ）に示したような試験方法で行ったものであり、テストスピードは100mm/min、測定温度は21〜23℃で行った。表１における、剥離強度の「平坦部の平均」は、図４の「平坦部」における剥離荷重の平均を示しており、「ピーク（破断）」は、同じく図４の「剥離ピークｏｒ破断」における荷重を示している。
【００１５】
例えば、表１に示されているように、溝の深さが7.5mm、幅が10mmのとき、ケース４、５では、樹脂層が溝の部分まで剥離した後に、図３の（Ｂ）のように、樹脂層が破断した。しかし、同じ条件でケース６では、樹脂層が溝の部分で破断することなく、図３の（Ｃ）のように、全面剥離したことを示している。そして、溝の深さが10mm以上になると樹脂層の厚さが３mm程度でも、樹脂層は溝の部分まで剥離した後に破断した。従って、溝の深さが樹脂層の厚さの約2.5（≒7.5/3.03）倍以上であれば、溝の上流側で発生した樹脂層の剥離が、溝の下流側まで広がることを防止できるといえる。
【００１６】
このようにして、水路の表面に溝を設けて樹脂を吹きつけることにより、溝の内部に充填された樹脂が、水路の表面の樹脂層のアンカーとして作用するために、表1のような大きな剥離強度が得られたのである。このような剥離強度が得られるため、溝の上流側において、樹脂層の剥離が発生しても、溝の下流側まで剥離することは防止されるのである。従って、樹脂層による水路の保護効果は長期間にわたって維持されるのである。
【００１７】
なお、溝の平面形状は、図５の（Ａ）〜（Ｄ）に示したように、種々の形状が実現可能である。そして、溝によって周囲が囲まれた複数の閉領域Ｒを形成することによって、前記閉領域Ｒの周囲は十分な付着強度で水路の表面に付着している事になり、容易には剥離しない。また、仮に、前記閉領域が剥離した場合でも、周囲の溝によって周りの領域に剥離が広がらないので、樹脂層が保護されるのである。また、溝の断面形状は矩形に限らず、Ｖ字状や平行四辺形状のものとしてもよい。
【００１８】
次に、本発明に係る水路の保護方法を、水路の表面の樹脂層にスリット状の切れ目を設けた水路の部分的な断面図を示した図６を参照して説明する。
本発明の特徴は、図６に示したように、水路の表面に形成した樹脂層２にスリット状の切れ目Ｓを形成したものである。
この切れ目Ｓによって、上流側で発生した剥離はスリットＳを超えて下流側へ広がる事が防止されるのである。
【実施例１】
【００１９】
実施例１の断面図を示した図６の（Ａ）のように、水路の表面に形成した樹脂層２にスリット状の切れ目Ｓを形成するとともに、樹脂層２は水路の表面に設けた溝３の内部まで充填するとよい。
前記樹脂層２は、前記水路の表面に溝３を設け、その後、樹脂を吹き付け塗布することによって、樹脂を前記溝３の内部まで充填するとともに、水路の表面を覆うように形成したものである。このように溝３の内部まで樹脂を充填することよって、図１〜図５を参照して説明したように、樹脂層２が剥離し難くなっている。
【００２０】
特に、図６の（Ａ）に示したように、水路の表面に設けた溝３より上流側に、樹脂層２にスリット状の切れ目Ｓを設けることにより、上流側で樹脂層２の剥離が発生しても、その広がりを前記スリット状の切れ目Ｓで、下流側へ広がることをほぼ確実に止めることができるのである。
また、図６の（Ａ）に示したように、樹脂層２の最上流側の端部51を、水路の表面に設けた溝52に埋め込んだり、鉄板53等で覆ったりすることが好ましい。
【実施例２】
【００２１】
実施例２
実施例２の断面図を示した図６の（Ｂ）のように、水路の表面に形成した樹脂層２にスリット状の切れ目Ｓを形成するとともに、樹脂層２は水路の表面に設けた溝３の内部まで充填し、さらに、樹脂層２の最上流側の端部を斜めに加工することが好ましい。
【００２２】
図６においては、樹脂層２のスリット状の切れ目Ｓと水路の表面の溝３の両方を設けた例を図示したが、樹脂層のスリット状の切れ目Ｓだけであっても、上流側で発生した樹脂層の剥離が下流側へ広がることを抑制できる。
そして、樹脂層２に設けたスリット状の切れ目Ｓによって周囲が囲まれた閉領域を形成すると、水路に設けた溝の場合と同様に、上流側の剥離が下流側へ広がることを抑制できるのである。
【００２３】
樹脂層に設けるスリット状の切れ目Ｓは、水路の表面までの深さとしてもよいが、切れ目の底に若干の樹脂層を残した状態としてもよい。いずれにせよ、スリット状の切れ目Ｓの部分で樹脂層が破断しやすい状態となっていればよいのである。
【００２４】
また、水路は、コンクリート製でも鋼製でもよい。そして、樹脂層は水路の施工現場で吹きつけ等によって形成してもよいが、予め工場においてコンクリート等の水路構成用セグメントに樹脂層を形成しておき、それらのセグメントを施工現場で組み立ててもよい。また、水路の形式は、上部が開いた開渠でも暗渠や管路のような水路でもよい。いずれの場合でも、水流と接する可能性のある部分に樹脂層を形成して保護すればよいのである。
【００２５】
以上のようにして形成された樹脂層は、優れた耐薬品性、耐磨耗性が得られる。しかも、低温での施工が可能であるので、新設の水路に限らず、作業条件の悪い既設の水路を補修する場合にも適している。なお、樹脂はエポキシ樹脂系あるいはウレタン樹脂系を用いることも可能である。
【符号の説明】
【００２６】
１ 水路
２ 樹脂層
３ 溝
４ 下地
５ プライマー
Ｕ ウレア系樹脂
Ｓ  スリット状の切れ目
【図１】
2010013929.tif 000004
【図２】
2010013929.tif 000005
【図３】
2010013929.tif 000006
【図４】
2010013929.tif 000007
【図５】
2010013929.tif 000008
【図６】
2010013929.tif 000009